(57)【要約】  相互作用方法及びシステムは、場面データを含むカード310と、前記場面データを読み取るように構成される読み取り器320と、前記場面データと関連付けられる場面を提供するために、前記場面データに従い少なくとも１つの制御可能装置340を有効状態にさせるように構成される処理器350と、を有する。光源及び／又は投影器／ディスプレイなどの制御可能装置は、例えば、読み取り器320のスロットへカード310を挿入するステップ、又は読み取り器320の表面232にカード310を置くステップ、に応答して有効状態にされる。処理器350は、場面を提供する制御可能装置340の明暗度及び色を変更することを含む、ユーザによる前記場面の属性の調整を可能にするように構成される。
2010503948.tif 000002
【特許請求の範囲】
【請求項１】
場面データを含むカードと、
前記場面データを読み取るように構成される読み取り器と、
前記場面データと関連付けられる場面を提供するために、前記場面データに従い少なくとも１つの制御可能装置を有効状態にさせるように構成される処理器と、
を有し、
前記カードが、前記場面の初期設定と関連付けられる形状及びイラストのうちの少なくとも１つを有する、
相互作用システム。
【請求項２】
請求項１に記載の相互作用システムであって、前記少なくとも１つの制御可能装置が、前記読み取り器のスロットへ前記カードを挿入すること、及び前記読み取り器の表面に前記カードを置くこと、のうちの少なくとも１つに応答して有効状態にされる、相互作用システム。
【請求項３】
請求項１に記載の相互作用システムであって、前記処理器が、前記場面の明暗度及び色のうちの少なくとも１つを変更することを含む、前記場面の属性の調整を可能にするように構成される、相互作用システム。
【請求項４】
請求項３に記載の相互作用システムであって、前記調整が、円状カードを回転させること、及び、非円状カードをスライドさせること、のうちの少なくとも１つにより起動される、相互作用システム。
【請求項５】
請求項１に記載の相互作用システムであって、前記場面データが、複数の場面の情報を含み、前記複数の場面のうちの１つが、前記読み取り器のマーカーに対する前記カードの位置に基づき選択可能である、相互作用システム。
【請求項６】
請求項１に記載の相互作用システムであって、前記場面が、少なくとも１つの光源からの少なくとも１つの光を用いて部屋を照らすことと、前記部屋の少なくとも１つの表面に少なくとも１つの画像を投影することと、を含む、相互作用システム。
【請求項７】
請求項６に記載の相互作用システムであって、前記少なくとも１つの画像が、静止画及びビデオストリームのうちの少なくとも１つを含む、相互作用システム。
【請求項８】
請求項１に記載の相互作用システムであって、前記カード及び前記読み取り器のうちの少なくとも１つが、キー及びディスプレイのうちの少なくとも１つを含む、相互作用システム。
【請求項９】
少なくとも１つの場面に関連付けられる属性を記憶するメモリと、
前記少なくとも１つの場面の指示を表示するように構成されるスクリーンと、
入力信号を供給するように構成される少なくとも１つのキーと、
前記メモリにおいて記憶される異なる場面を循環させ、且つ前記入力信号に応答して前記異なる場面と関連つけられて前記スクリーンに表示される異なる指示を循環させるように構成される処理器と、
を有するカード。
【請求項１０】
請求項９に記載のカードであって、前記カードが、前記カードのメモリに記憶される初期場面と関連付けられる形状を有する、カード。
【請求項１１】
請求項９に記載のカードであって、前記少なくとも１つのキーが、ハードウェアキー及び前記スクリーンに表示されるソフトウェアキーのうちの１つである、カード。
【請求項１２】
請求項９に記載のカードであって、入力ポートから前記カードの少なくとも１つの表面へ光をガイドするように構成される光ガイドを更に含み、前記少なくとも１つの表面が、前記光の属性の勾配を用いて照らされる、カード。
【請求項１３】
読み取り器の近傍においてカードを位置させるステップと、
前記位置させるステップに応答して場面データを読み取るステップと、
前記場面データと関連付けられる場面を提供するために、前記場面データに従い少なくとも１つの制御可能装置を有効状態にさせるステップと、
を有する相互作用方法。
【請求項１４】
請求項１３に記載の方法であって、前記位置させるステップが、前記読み取り器のスロットへ前記カードを挿入するステップ、及び前記読み取り器の表面に前記カードを置くステップ、のうちの少なくとも１つを含む、相互作用方法。
【請求項１５】
請求項１３に記載の相互作用方法であって、前記場面の明暗度及び色のうちの少なくとも１つを変更することを含む、前記場面の属性の調整するステップを更に有する、相互作用方法。
【請求項１６】
請求項１５に記載の相互作用方法であって、前記調整するステップが、円状カードを回転させるステップ、及び、非円状カードをスライドさせるステップ、のうちの少なくとも１つを含む、相互作用方法。
【請求項１７】
請求項１３に記載の相互作用方法であって、前記読み取り器のマーカーの近傍にある前記カードの位置を位置決めすることによって、前記場面データからの場面を選択するステップを更に有する、相互作用方法。
【請求項１８】
請求項１３に記載の相互作用方法であって、前記有効状態化が、少なくとも１つの光源からの少なくとも１つ光を用いて部屋を照らすステップと、前記部屋の少なくとも１つの表面に少なくとも１つの画像を投影するステップと、を含む、相互作用方法。
【請求項１９】
請求項１３に記載の相互作用方法であって、前記有効状態化が、部屋を照らす場面光の属性を有する光を用いて前記カード及び前記読み取り器のうちの少なくとも１つの一部を照らすステップを含む、相互作用方法。
【発明の詳細な説明】
【技術分野】
【０００１】
本発明は、カード又はいずれかのタグをカード／タグ読み取り器へ挿入することに応答して、照明制御システムにおける照明設定を選択及び制御する相互作用システムに関する。
【背景技術】
【０００２】
革新的な照明制御システムが、プロフェッショナル（例えば、ビルディング、店舗、ホテルなど）及び消費者（例えば、家庭など）市場の両方において導入されている。これらのシステムは、充実した体験を提供するとともに生産性、安全性、効率及び癒しを向上させるために、調光、スイッチングのオン／オフ及び色調整などの全ての環境光の制御を可能にする。簡単で直観的なユーザインターフェイスを提供し、ユーザからシステム複雑性を隠すことが好ましい。言い換えると、（自身の全体的な物理的外見を有する）制御インターフェイス及びユーザ相互作用を、これらが、ユーザの頭の中の精神モデルに一致するように、作成することが望ましい。
【０００３】
容易に且つ直感的に照明システムを制御する一方で、システム複雑性を隠すことは、システム自体における課題である。個別の光源を制御すること（例えば、調光又は色変化）の異なる相互作用の規範（例えば、制御関数の選択）に関して複数の解決法が存在する。これらの解決法は個別の光源へ調整されるが、システムの解決法へも多く場合同様に拡張される。しかし、ユーザの視点からは、ユーザの精神モデルは、利用可能な制御システム及びユーザ動作への応答と一致しないので、混乱及び不満を生じさせる。
【０００４】
更に、異なる相互作用の規範が組み合わせられるようなシステムにおいて様々な解決法が組み合わせられる場合、ユーザにはより多くの混乱が生じる。単一の規範が使用される場合においても、個々の光源の設定を変化させることは、他の光源からおとずれる光の知覚に影響を及ぼし、したがって、全体照明経験（システム効果との称される）に影響を与える又は変化させることを注意しなければならない。したがって、好ましい／所定の光源及びその制御（の設定）の自動的な選択を可能にする、直感的であり且つシステム複雑性を隠すより簡単でより優れたユーザインターフェイスに関する必要性が存在する。
【発明の概要】
【発明が解決しようとする課題】
【０００５】
本発明のシステム及び方法の目的は、従来の相互作用システムの不利な点を克服することである。
【課題を解決するための手段】
【０００６】
例示的な実施例に従うと、相互作用方法及びシステムは、場面データを含むカードと、前記場面データを読み取るように構成される読み取り器と、前記場面データと関連付けられる場面を提供するために、前記場面データに従い少なくとも１つの制御可能装置を有効状態にさせる(activate)ように構成される処理器と、を有する。光源及び／又は投影器／ディスプレイなどの制御可能装置は、例えば、前記読み取り器のスロットへ前記カードを挿入するステップ、又は前記読み取り器の表面に前記カードを置くステップ、に応答して有効状態にされる。前記処理器は、前記場面へ寄与する及び提供する個別の若しくはグループ化された制御可能装置の又は場面全体の明暗度(intensity)及び／若しくは色を変更することを含む、ユーザによる前記場面の属性の調整を可能にするように構成される。
【０００７】
本システム及び方法の応用性の更なる領域は、以下に提供される詳細な説明から明らかになる。本システム及び方法の例示的な実施例を示す一方で、詳細な説明及び特定の例は、例示の目的のみに関して意図されており、本発明の範囲を制限するように意図されていない。本発明の装置、システム、及び方法のこれら及び他の特徴、態様及び有利な点は、以下に説明される実施例、添付の請求項及び添付の図面からよりよく理解される。
【図面の簡単な説明】
【０００８】
【図１】図１は、本発明に従う例示的な実施例に従う様々なカードを示す。
【図２Ａ】図２Ａは、本発明の別の実施例に従う相互作用システムを示す。
【図２Ｂ】図２Ｂは、本発明の更に別の実施例に従う相互作用システムを示す。
【図２Ｃ】図２Ｃは、本発明の更に別の実施例に従う相互作用システムを示す。
【図３】図３は、図２に示される相互作用システムのブロック図を示す。
【発明を実施するための形態】
【０００９】
特定の例示的な実施例の以下の説明は、単に本質的に例示的であり、本発明、応用例、又は使用を制限するように如何なるようにも意図されていない。本発明のシステム及び方法の実施例の以下の詳細な説明において、当該説明の一部を形成し、説明されるシステム及び方法が実施され得る特定の実施例を例証として示される添付の図面に参照がされる。これらの実施例は、当業者に、本文書において開示されるシステム及び方法を実施させるのに十分詳細に説明されており、他の実施例も活用され得、構造的及び論理的な変更も、本発明のシステムの精神及び範囲から逸脱することなくなされ得ることを理解されるべきである。
【００１０】
以下の詳細な説明は、したがって、制限する意味で採用されるべきでなく、本発明のシステムの範囲は、添付の請求項によってのみ規定される。本文書の図面における参照符号の先頭の文字は、複数の図面において現れる同一のコンポーネントが同一の参照符号によって特定されることを例外として、図面の番号に一般的に対応する。更に、明瞭性の目的に関して、よく知られている装置、回路及び方法の詳細な説明は、本発明のシステムの説明を曖昧にさせないために省略されている。
【００１１】
様々な実施例に従うシステム及び方法は、開始点として一群の光場面を提供し、ユーザの個人の好みに調整するために、様々な場面の個別の制御、及び／又は個別の若しくはグループ化された制御可能な光源の光源属性の制御を可能にし、したがって、初期場面から開始して容易に所望な場面を選択及び調整し得る。例えば、カード及び読み取り器の組み合わせは、開始点として１つの以上の場面からの選択を提供し、「一気に(in  one  go)」、選択された場面の調整を可能にする。場面の雰囲気を示すイラストが、カードに視覚化される。これらの視覚的イラストは、ユーザに対する初期選択の補佐として作用する。カードが、例えば、部屋の壁におけるスロットであり得る、読み取り器へ挿入されると、場面は有効状態にされ、読み取り器になお留まったままのカードインターフェイス、及び／又は読み取り器インターフェイスは、選択された場面を調整するように使用され得る。例えば、カードがディスク形状を有する場合、調光又は場面の色の変更などの場面制御は、調光又は色変更モードのそれぞれにおいて、読み取り器のスロットにおけるディスクを回転させることによって達成され得る。
【００１２】
図１は、円状、八角形、星形、及び長方形形状のカードなどのいくつかの形状のカード１００を示す。当然、カード１００は、場面全体が柔らかい赤、又は場面又は部屋の１つの角が柔らかい赤、並びに他の部分において柔らかい緑及び青照明などの、所定の開始色であるような、減光された光を有するなど、ロマンスに関連される開始場面を示すロマンティックなイラストを含む又は含まないハート形状などの、いずれかの他の形状をも有し得る。図１は、光源が例えば部屋などの環境の明るい照明を提供する明るい場面を示す、太陽１１０のイラストを示す円状カードを示す。
【００１３】
他の形状及び／又はイラストが、月の形状として及び／又は、カードにおけるイラストが、例えば光が減光され適切な色若しくは色温度を有する夜の場面を提示するなどの、カードと関連付けられる場面を提示するのに使用され得る。星形状カード、又はいずれかの他の形状のカードは、風船１２０などのイラストなどのパーティの設定を示すイラストを有し得、この場合、このようなカードを挿入することが、異なる明暗度及び着色光が光源及び／又は投影器／ディスプレイによって提供され得る場面又は雰囲気を提供する。照明は、例えば、部屋の壁又は天井に沿って動く太陽又は月を示すなどの、オン／オフするストロボライト、及び、物理的又は電子的のいずれかにより導くことが可能である又は回転可能である方法を変更する光など、時間に対して可変であり得る。本の形状のカードは、読書に適した既定若しくは初期場面及び／又は照明を提供する一方で、テレビの形状のカードは、テレビを観ることに適した既定若しくは初期場面及び／又は照明を提供し得る。いかなる所望の既定の形状、イラスト、及び／又は場面が、例えば、読書に関して本の形状の及び／又はイラスト付きのキーなどの、初期所定場面を提供するのにも用いられ得る。
【００１４】
当然、光を制御することに加えて、他の機能又は動作が、カードに関連付けられ得る。例えば、パーティカードをカード読み取り器へ挿入することは、パーティ照明又は場面に加えて、パーティ音楽を音にし得る。パーティ場面及び関連付けられる光は、例えば、テンポ、ビート、及び／又は音量など、音楽とともに変化する又は音楽に従い得る。同様に、ロマンティックカードを挿入することは、例えば、柔らかい照明に加えて、柔らかい音楽を開始する。
【００１５】
ホテルの部屋の設定において、カードを読み取り器へ挿入することは、ドアをロックし得ることでもある。カードの１つは、キーカードでもあり得、したがって、ゲストが到着し、カードをドアにおけるスロットへ挿入すると、ドアは解錠し、ホテル管理によって、カードにプログラムされ及び記憶された歓迎場面に従い、照明がオンにされる。ドアを解錠するカードは、Jonesによる米国特許出願公開公報第2006/0037372号において記載されており、これは、本文書において参照として全体が組み込まれる。カード読み取り器は、他の装置へ動作可能に結合され得、他の装置と関連付けられるユーザ動作に応答して自動的に反応し得る。
【００１６】
例えば、ゲストがテレビをオンにする場合、又はペイパービューテレビ番組又はビデオオンデマンドを注文する場合、読み取り器は、テレビ／選択された番組を視聴するためにより優れた環境を提供するために光を調整する。読み取り器の処理器は、テレビ番組のコンテンツを受信及び分析し、分析されたコンテンツに従い照明を制御する。例えば、爆発又は事故の場面に合わせて、照明は、ストロボするすなわち爆発又は事故の場面に一致される光の短い持続時間の強烈なフラッシュを提供するように制御され得る。当然、コンテンツを分析する代わりに、光源を含む制御可能装置は、コンテンツとともに放送される、又は相互作用システムによって（インターネットなどのいずれかのネットワークを介して）アクセス可能な遠隔メモリを含む相互作用システムのメモリ、若しくは例えばカードのメモリ及び／若しくはカード読み取り器のメモリに記憶され得る、このようなコンテンツと関連付けられるスクリプトに基づき、ビデオ又は音声コンテンツを追従し得る。
【００１７】
当然、カードを読み取り器へ挿入することに応答して、初期照明、場面又は設定を提供するときに、ユーザは、音楽を低くする又は音楽を変更するなどの、場面の更なる特性を制御することも同様に、異なる明暗度及び／又は色などの異なる属性を用いて光を提供するために、光源の一部を含む場面の所望な部分及び／又は場面全体の光属性を変更するなどの、様々な光又は場面属性を制御し得る。更に、各カードは、１つより多い場面を含み得、これらは、読み取り器への挿入の前又は後に、読み取り器のカードのユーザインターフェイスなどを介して、ユーザによって選択され得る。
【００１８】
いくつかの写真又はイラストが、図１における風船１２０を表示するカードのスクリーン１３０に表示されるなど、同時又は順次的にカードに提供され得る。カードスクリーン１３０は、例えば、液晶ディスプレイ（ＬＣＤ）などの、いかなる種類のスクリーンディスプレイであり得る。イラストは、ユーザの相互作用があると、次の又は前の場面イラスト及び／又はイラストに関連付けられる（照明）場面の有効状態化へ進むように順序付けられ得る。ユーザ相互作用は、モード選択及び／又は場面若しくは照明調整に関するキーの有効状態化を含み得る。更なるユーザ相互作用は、以下に説明されるように、カードを読み取り器におけるマーカーに対して動かす（例えば、回転又はスライド）ことを含み得る。
【００１９】
図２Ａ−２Ｃにおいて示されるカード及び読み取り器を含む相互作用システム２００は、読み取り器及び／又はカードのキーを切り替えをすることによって選択し得るいくつかのモードを有し得る。例えば、１つのモードは色変更モードであり得る一方で、別のモードは、明暗度変更モードであり得る。更に、自動モードにおいて、場面は、以下に説明されるように、読み取り器の近傍において又は読み取り器の矢印の近傍にカードを位置させるなどにより選択されると、自動的に有効状態化され得る。当然、選択により自動的に有効状態化される自動モードの代わりに、システムは知識モードを有し得、この場合、システムは、ユーザに、カードの、読み取り器の又はいかなる他のディスプレイにおいて場面のプレビュを示して、有効状態化を受け入れる又は拒否するかを促し得る。キーは、システムのユーザインターフェイスの制御機能と関連付けられるモードを選択すること、及び例えば、光源を含む個別の若しくはグループ化された制御可能装置及び／又は場面の光の属性に関連されるモード（例えば、調光モード）を選択すること、を含む、システムの様々なモード、シーン及び他の特徴に合わせて操作するために有効状態化され得る。例示的に、モードキーの第１の押下又は有効状態化は、調光モードを導入する又は有効状態にし、次の押下は、色温度モードを有効状態にし、したがって、様々な利用可能な制御特徴及びモードを介して並ぶ。
【００２０】
カードは、初期又は既定の選択をユーザに提供する。この初期選択は、ユーザの雰囲気又は活動を最良に一致させる。示される写真の数は、カード又はそのスクリーンの形状及びサイズに依存する。例えば、両側に複数の場面を示す１つのカードのみをユーザへ提供する、又は片側に１つの場面のみを示す複数のカードをユーザへ提供するように、選択され得る。
【００２１】
図２Ａ−２Ｃは、少なくとも１つのカード及び読み取り器を含む相互作用システム２００の正面、側面及び上面図を示し、この場合、カード読み取り器２１０・２１５の上面図は、それぞれのカード読み取り器２１０・２１５のスロット２３０（図２Ａ及び２Ｂ）に挿入される円状カード２２０及び長方形カード２２５などの非円状カードを示す。スロット２３０は、カードを受け入れ、カードに記憶されるデータを読み取ることが可能であるいかなる種類の入力装置であり得ることを理解されるべきである。例えば、図２Ｂに示されるように、入力装置は、スロット２３０の代わりに又は加えて、カードが位置されるカード読み取り器の上部表面２３２としてなどのいずれかの表面であり得、この場合、表面２３２は、例えば、読み取り器を保持する壁２３４から延在し、カードをスライド可能に保持し、例えば、回転を含むスライド、及びカードの運動を可能にする。
【００２２】
カードがカード読み取り器２１０・２１５に挿入される又は配置されると、選択されるカードに関連付けられる又は記憶される場面が、有効状態にされる。カードが、読み取り器によって読み取られ得、これに応答して、例えば、Bluetooth（登録商標）又はZigBee（登録商標）などのいずれかの所望なプロトコルを用いて、無線周波数（ＲＦ）、赤外線（ＩＲ）又は光学系などの有線又は無線通信を含む、カード及び読み取り器の間の通信を達成させるいずれかの他の手法又は位置決め手法によって、場面が有効状態にされ、この場合、例えば、カードを読み取り器の特定の距離内に持ち込むと関連付けられる初期場面を有効状態にする。ユーザが受信器の近傍にいる場合に、個人的な照明の好みに従い部屋の照明が制御されるように、ユーザの個人的な照明の好みを含む信号をマイクロプロセッサへ送信するようにプログラムされるカードが、Lys等による米国特許第7,038,398号に記載されており、この文書は、本文書において参照として全体的に組み込まれる。ユーザが部屋に入る場合に個人的な照明の条件を提供するカード読み取り器は、岡村秀雄等による日本国特許出願公開公報第H06-310284号に記載されており、この文書は、本文書において参照として全体的に組み込まれる。更に、色及び輝度を制御するためにスクリーンを有する遠隔制御器は、Junichi氏による日本国特許出願公開公報第S62-299097号に記載されており、この文書は、本文書において参照として全体的に組み込まれる。
【００２３】
カード自体に記憶される又はカードによりアクセス可能な複数の場面を有するカードに関して、この場合、関連付けられるアイコン、イラスト又は関連付けられる場面のいずれかの他の表現がカードに表示され、この場合、これらの場面のうちの１つが、読み取り器２１０・２１５のマーカーの近傍に、好ましい又は選択された場面を位置させることによって、選択され得る。矢印２４０・２４５が図２において示される、発光ダイオード（ＬＥＤ）を含む矢印又は他の指示などの、読み取り器２１０・２１５におけるいずれかの種類のマーカーも、使用され得る。
【００２４】
図２Ｃにおいて示されるように、複数の場面の表現が、円状ディスク２２０に関する未完のパイ形状の場面イラスト２５０、及び長方形ディスク２２５において表示されるボックス形状（例えば、長方形）場面２５５として表示され得る。円状ディスク２２０に関して、パイ形状の場面２５０のうちの１つは、選択されるパイ形状場面が矢印２４０の近くに位置するように、円状ディスク２２０を回転させることによって、選択され得る。長方形ディスク２２５に関して、ボックス形状場面２５５のうちの１つは、選択されるボックス形状場面イラスト／表現２５５を矢印２４５の近くに位置するように、長方形ディスク２２５を（矢印２６０によって示されるようにカード読み取り器へ向かって又はから離れて）スライドさせることによって、選択され得る。
【００２５】
カード及び／又は読み取り器は、様々な機能を実現させるために、カードが挿入される又は読み取り器に置かれる際に無線で通信するなど、読み取り器と通信する時に、ハードウェアキー２６２・２６４・２６６・２６８、又はカードタッチスクリーン２８０・２８５及び／又は読み取り器タッチスクリーン２９０・２９５などにおけるソフトウェアキー２７２・２７４・２７６・２７８を有し得る。例えば、カード及び／又は読み取り器におけるキーは、様々なモード又は場面の中から切り替えをするために使用され得、この場合、現在のモード又は場面の指示が、カードスクリーン２８０・２８５及び／又は読み取り器スクリーン２９０・２９５に表示され得る。
【００２６】
選択された場面が、例えばスロットへのカード挿入又は読み取り器表面２３２へのカード配置をして有効状態にされると、有効状態にされた場面は、その後、読み取り器の及び／又はカードが読み取り器表面２３２へ配置され、アクセス可能なインターフェイスキー及び／又はスクリーンを有する場合にはカードのユーザインターフェイスを介して制御され得る。
【００２７】
カード／読み取り器のインターフェイスキー／スクリーンを使用することに加えて又は代えて、有効状態にされる場面を制御することは、カードの形状に依存して特定の方向へカードを動かすことによって実行され得る。例えば、場面若しくは個別の照明ユニット又は他の制御可能装置が、時計回り又は反時計回り２９７に長方形又はディスク形状カード２２０を回転させることにより、又は長方形カード２２５を右又は左方向２９８へスライドさせることによって、選択及び／又は制御され得る。
【００２８】
当然、更なるユーザインターフェイス制御装置が、カード又は読み取り器に含まれ得る。例えば、図２Ａに示されるように、スロット２３０へのカードの挿入をしても見える状態にあるカードの側面表面２３６は、例えば、指を表面２３６において右又は左へスライドさせることなどにより、場面の又は選択された個別の若しくはグループ化された光源の調光及び／又は色温度制御に関する勾配を表示するディスプレイスクリーンを含み得る。明暗度又は色勾配を表示するカード側面スクリーンの代わりに、カードは、図２Ｂに示されるＬＥＤ２３８などの、例えば、読み取り器において又はその近くに位置される読み取り器表面のスクリーン又はＬＥＤからなどの、読み取り器からカード側面表面２３６への明暗度又は色勾配の画像をガイドする光ガイド材料を含み得る。
【００２９】
図３は、図２において示される相互作用システム２００のブロック図３００を示す。図３に示されるように、カード３１０は、少なくとも１つの制御可能装置３４０の初期場面設定などの、カード３１０のメモリ３３０において含まれるデータを読み取る読み取り器３２０へ動作可能に接続される。例えば、カードメモリ３３０において記憶される場面データに従い、静止画又はストリーミングビデオを含む、部屋の壁又は天井などの表面に所望な画像を投影する及び／又は環境を照らす少なくとも１つの光源及び／又は投影器を含む様々な制御可能装置３４０が設けられ得る。光源及び／又は投影器は、例えば、操作可能な鏡などを介して所望な方向に照明又は画像を供給するために、物理的に又は電子的に操作可能であり得る。
【００３０】
読み取り器３２０は、読み取り器３２０によって読み取られるシステムメモリ３６０及び／又はカードメモリ３３０において記憶されるプログラムに基づく命令の実行などにより記述されように、所望な動作行動を実行するように構成される処理器３５０へ動作可能に結合される。システムメモリ３６０は、オペレーティングシステムなどの、システムオペレーションに関する他のデータを記憶する。例えば、処理器３５０は、読み取り器３２０が、カードメモリ３３０から場面データを読み取ることに応答して、場面を有効状態にするように構成され得る。当然、場面データは、インターネットなどのネットワークなどを介してアクセス可能ないずれかの他のメモリ、又はシステムメモリ３６０に記憶され得、この場合、カードメモリ３３０は、場面データがアクセスされ有効状態にされるリンク、アドレス、ポインタ又は指示を含む。
【００３１】
処理器３５０は、ディスプレイ、ハードウェアキー、タッチディスプレイであり得るディスプレイにおいて表示されるソフトウェアキー、マウス、ポインタなどの、様々な入力／出力（Ｉ／Ｏ）装置３７０に動作可能にも接続される。更に説明されるように、且つ、カードメモリ３３０を有することに加えて、カード３１０は、カード処理器３８０と、ハードウェア又はソフトウェアのキー及びディスプレイ３９０などを有するカードＩ／Ｏとをも有し得る。
【００３２】
当然、読み出し器は、携帯型読み取り器であり得る、又は更なる携帯型読み取り器が、図２Ｂに示される壁２３４などの部屋表面へ固定される読み取り器に加えて設けられ得る。携帯型読み取り器は、ＲＦ、ＩＲ、レーザ及びソナーなどの、いずれかの無線チャネルを介してシステム処理器３５０及び／又はカード３１０と通信する。同様に、システム処理器３５０は、制御可能装置３４０と無線で通信及び制御し、制御可能装置３４０は、所用又は所望なＲＦＩＤタグ及び読み取り器がなどの、送受信器及び固有識別子又はタグなどの様々な装置を有し得、この場合、類似の装置が、カード／読み取り器に含まれ得る。当然、無線通信の代わりに、いずれかの通信も、ワイヤ、ケーブル、光ファイバなどを介して実施化され得る。
【００３３】
相互作用システム及び方法は、家庭、オフィス、商業施設及びホテルなどの、多くの状況において適用可能であることを理解されるべきである。例えば、ホテルは、洗練されているがアクセスしやすい照明及び上述される場面相互作用システムを提供することによって、差別化したサービス及び高級感を提供し得、これにより、多くの異なるゲストに対して、部屋の雰囲気が変更可能であるような同一のホテルの部屋から帰属、個人化、及び喜びのより優れた感覚を導き出させることを可能にする照明効果を提供する。例えば、ホテルのゲストは、様々な活動を伴い得る雰囲気、感覚、又は効果に関して規定される、歓迎、沈静、リフレッシュ、居心地の良い、官能的、及び激しい場面などの、様々な場面に関する様々なカードを提供され得る。
【００３４】
他の装置は、タッチ感知表面、壁の全体又は一部などのディスプレイ表面、ＬＥＤ、光及び動きセンサなどの相互作用システムへ動作可能に結合され、タイマは、時間とともに徐々に変化する洗練された照明効果を創作するために、所望なレベルのインターフェイス挙動及び反応における繊細さ及び穏やかさを可能にする。すなわち、選択される場面は、経時的に一定であり得る、又は、例えば、動きセンサを介して部屋において追加的な人を検出するなどの、所定の又は選択された期間又はイベントにおいて変化するような、一日の時間、温度、雰囲気、場面などの所定の又は選択された規準に基づき設定が変化する場合に可変であり得る。
【００３５】
例証的に、多くの人々が部屋において検出され、それが昼間である場合、窓から離れた部屋の特定の暗い位置において、すなわち、例えば光センサによって検出されるように日よけが閉じられている場合明るい光が供給される。ＬＥＤ及びＬＥＤレンズの組み合わせ又は他のいずれかの制御可能な光源などの混合光源は、無数の手法で空間を活気付ける多重の光質感をもたらし得る。
【００３６】
相互作用システムの制御は、例えばハードウェア又はソフトウェアの、読み取り器、又は図２Ａに示される表面２３６などにおけるカードに配置されるスライダコントロールにおいて指を滑らすことを含み得る。指をすべらすことに応答して、光の輝度、色、及び／又は暖かさが、ユーザの個人的な好みを反映するために、徐々に変化し、例えば、弱まる。システム相互作用は、ユーザの雰囲気を壊し得るような照明への突然の変化をほとんどなしに又は全くなしに徐々に変化するように構成され得る。
【００３７】
例えば、いずれかの位置又はＬＥＤレベルインジケータにおけるスライダを触ることにより、指へとゆっくりと動くことが可能であり、これにより、その動きにつれて、光効果における上品な移行を保証し、場面又は照明の全て又は一部を変化させる。インジケータが指の下又は近くにあるようになると、インジケータは指とともに動くようになり、例えば、指を素早く動かことによるような急激な変化に関する要求を支援するような形態で指の動きに応答するようになり、更に、突然の飛躍を減らす又は取り除き、すなわち輝度又は色変化における変更を無効にする。
【００３８】
動きセンサ又はカメラによって検出されるように、ベッドに入る場合には、相互作用システムは、必要であれば、夜用の照明をオンにする、又はオンにする準備をするように構成され得る。例えば、ユーザ又はゲストが夜間にベッドから出て行くと検出される場合に、穏やかな光が、自動的に有効状態にされ、床においてユーザをガイドするために明るくする。センサ及びタイマの組み合わせは二重のチェックとして実行し、適切な場合にのみ床が照らされることを保証する。
【００３９】
当然、本文書を見る通信分野における当業者にとって、様々な要素が、送信器、受信器、又は送受信器、アンテナ、変調器、復調器、変換器、デュプレクサ、フィルタ及びマルチプレクサなどの、通信に関するシステムコンポーネントに含まれ得ることは明らかであり得る。様々なシステムコンポーネント間の通信又はリンクは、例えば有線又は無線などのいかなる手段によるものでもあり得る。システム要素は、個別である又は、処理器などと、一体として統合され得る。よく知られるように、処理器は、例えば、部屋を照らす場面に関して設定するシステム相互作用に関連される所定の又はプログラム可能な設定などの、他のデータも記憶し得る、例えば、メモリに記憶される命令を実行する。
【００４０】
相互作用システムの様々なコンポーネントが、例えば有線又は無線のリンクを含む、いかなる種類のリンクによって互いに動作可能に結合され得る。様々な修正態様も、本文書における説明を見ることにより、当業者によって認識されるように提供され得る。メモリは、他のデータと同様にアプリケーションデータを記憶するための如何なる種類の装置でもあり得る。アプリケーションデータ及び他のデータは、本発明のシステム及び方法に従い動作を制御器又は処理器に実行させるために、制御器又は処理器によって受信される。本発明の方法の動作は、計算機ソフトウェアプログラムによって実行されるように具体的に適合され、このような計算機ソフトウェアプログラムは、当該方法の個別のステップ又は動作に対応するモジュールを好ましくは含む。当然、このようなソフトウェアは、集積チップなどの計算機読み取り可能媒体、周辺装置、又はメモリ又は制御器又は光モジュールの処理器へ結合される他のメモリなどの、メモリ、において実施化され得る。
【００４１】
計算機読み取り可能媒体及び／又はメモリは、いずれかの読み取り可能媒体（例えば、ＲＡＭ，ＲＯＭ，リムーバブルメモリ、ＣＤ−ＲＯＭ、ハードドライブ、ＤＶＤ、フロッピーディスク（登録商標）又はメモリカード）であり得る、又は伝送媒体（例えば、光ファイバを含むネットワーク、ＷＷＷ、ケーブル、及び／又は、時間分割多重アクセス、符号分割多重アクセス若しくは他の無線通信システムなどを用いる無線チャネル）であり得る。計算機システムと使用するのに適した情報を記憶し得る既知の又は開発されたいずれかの媒体は、計算機読み取り可能媒体及び／又はメモリとして使用され得る。
【００４２】
追加的なメモリも使用され得る。計算機読み取り可能媒体、メモリ、及び／又はいずれかの他のメモリは、長期的メモリ、短期的メモリ、又は長期的及び短期的メモリの組み合わせであり得る。これらのメモリは、処理器／制御器に本文書において開示される方法、動作、及び機能を実行させる。メモリは、分散型又はローカル型であり得、追加的な処理器が設けられる場合、処理器は、分散型又は単一であり得る。メモリは、電気的、磁気的若しくは光学的メモリ、又はこれら若しくは他の種類の記憶装置の組み合わせとして実施化され得る。更に、「メモリ」という用語は、処理器によってアクセス可能であるアドレス処理可能な空間におけるアドレスから読み取られる又はそのアドレスへ書き込まれることが可能である如何なる情報をも包含するのに十分に広く解釈されるべきである。この定義を用いて、ネットワークにおける情報は、なお、例えばメモリに含まれ、処理器は、ネットワークから情報を取得し得る。
【００４３】
処理器及びメモリは、米国特許出願書類第2003/0057887号に記載されるような、如何なる種類の処理器／制御器及びメモリであり得、この文書は、本文書に全体を参照として組み込まれる。処理器は、ユーザの注視を検出することに応答して、動作を実行させ、そしてメモリに記憶される命令を実行することが可能であり得る。処理器は、特定応用又は汎用集積回路であり得る。更に、処理器は、本発明のシステムに従い実行する専用処理器であり得る、又は多くの機能のうちの１つのみが、本発明のシステムに従い実行するように動作するような汎用目的処理器であり得る。処理器は、プログラムの一部若しくは複数のプログラム部分を活用して動作し得る、又は専用若しくは多目的集積回路を活用するハードウェア装置であり得る。ユーザの存在及び識別性を特定するのに活用される上述のシステムのそれぞれは、更なるシステムと組み合わせて活用され得る。
【００４４】
当然、上述の実施例又は処理のうちのいずれかの１つも、特定の個性を有するユーザを発見及びマッチングさせ、関連する推薦を提供することにおいて更なる改善を提供するために、１つの又はそれ以上の実施例又は処理と組み合わせられ得ることを理解されるべきである。
【００４５】
上述の実施例は、本発明を制限するものよりもむしろ例証するものであり、当業者が、添付の請求の範囲から逸脱することなく、多数の代わりの実施例を設計することが可能であることを注意しなければならない。本発明は、好ましい実施例及び変更態様の形式で開示されているが、添付の請求項に規定される本発明のより広くそして意図される精神及び範囲から逸脱することなく、当業者が、多数の変更態様及び修正態様がなされ得ることを理解され得る。詳細な説明及び図面は、例証するものとして考慮されるべきであり、添付の請求項の範囲を制限するように意図されていない。
【００４６】
添付の請求項を解釈する際に、
a)「有する・備える」という動詞及びその活用形の使用は、請求項に記載される以外の要素又はステップの存在を排除しない。
b)単数形の構成要素は、複数個の斯様な構成要素の存在を排除しない。
c)請求項における如何なる参照符号も請求項の範囲を制限するように解釈されてはならない。
d)いくつかの「手段」は、同一の若しくは異なる項目、ハードウェア又はソフトウェア実施の構造又は関数によって表され得る。
e)開示される要素のいずれもが、個別の及び集積電気回路などを含む)ハードウェア、及びソフトウェア部分（例えば、計算機プログラム）、及びこれらのいずれかの組み合わせ、からなり得る。
e)開示される装置又はこれらの部分のいずれもが、具体的に上述されない場合は、一体に組み合わせられ得る、又は更なる部分へ分離され得る。
f)具体的に上述されない場合、動作又はステップの何の順序も意図されていない。
【図１】
2010503948.tif 000003
【図２Ａ】
2010503948.tif 000004
【図２Ｂ】
2010503948.tif 000005
【図２Ｃ】
2010503948.tif 000006
【図３】
2010503948.tif 000007
【国際調査報告】
2010503948.tif 000008
2010503948.tif 000009
2010503948.tif 000010